(57)【要約】【課題】面板部の下面と縁側片の外側面に水滴が発生しても、繊維間に保持され、落滴し難くなり、入浴中に入浴者に落滴することで不快感を与えるというような現象を防止することができる。【解決手段】面板部１の外端部に上方に向けて縁側片２を一体に突設して天井パネル本体３を構成する。天井パネル本体３の面板部１の下面と縁側片２の外側面とに繊維４を植設する。【選択図】図１
2009052354.tif 000002
【特許請求の範囲】
【請求項１】
面板部の外端部に上方に向けて縁側片を一体に突設して天井パネル本体を構成し、該天井パネル本体の面板部の下面と縁側片の外側面とに繊維を植設して成ることを特徴とする浴室用天井パネル。
【請求項２】
繊維表面に親水コートを施して成ることを特徴とする請求項１記載の浴室用天井パネル。
【発明の詳細な説明】
【技術分野】
【０００１】
本発明は、浴室用天井パネルに関するものである。
【背景技術】
【０００２】
従来から、面板部の外端部に上方に向けて縁側片を一体に突設した鋼板製の天井パネル本体の背面に石膏ボードを貼り付けた浴室用天井パネルが知られている。
【０００３】
上記のような浴室用天井パネルは、浴室ユニットの天井を構成するために使用されるものであり、浴室用天井パネルを横に複数並べて施工され、隣接する浴室天井パネルの縁側片同士を突き合わせて接続するようにしている。
【０００４】
このような従来の浴室天井パネルには浴室内の湿気が天井パネル本体の下面及び縁側片の外面で結露し、この結露水が水滴となって落滴し、特に入浴中に落滴すると入浴者に不快感を与えるという問題があった。
【０００５】
一方、金属製の内装材の表面のみに繊維を植設したものを建物の天井材として使用することが特許文献１、特許文献２等により従来から知られている。
【０００６】
上記のような表面のみに植設した金属製の内装材を湿気の多い浴室用天井パネル本体として用いる場合、該浴室用天井パネル本体の下面が植毛してあるため、浴室用天井パネル本体の下面に結露した水滴が繊維間に保持されて落滴しないようにすることができる。
【０００７】
しかしながら、上記のような従来例においては、浴室天井パネルの縁側片の外側面には繊維が植毛してないため、隣接する浴室天井パネルの縁側片同士を突き合わせ接続部分においては、水滴が落滴してしまうという問題があり、特に、隣接する浴室天井パネルの縁側片の突き合わせ部分においては、突合せ目地部の長手方向に部分的に発生した小さな水滴が突き合せ目地部の長手方向に沿って流れやすく、小さな水滴同士が合体して大きな水滴となって落滴し、この大きな水滴が入浴者に落滴することで、非常な不快感を与えてしまうという問題がある。
【０００８】
また、植毛をしてない従来の浴室天井パネルを施工した場合、隣接する浴室天井パネルの縁側片同士を突き合わせ接続部分の下面側の部分（つまり目地部分）には浴室内からコーキング打ちをして縁側片同士の突き合わせ接続部分の防水性を確保するようにしているが、上記植毛をしたものにおいては、植毛が邪魔になってコーキング打ちができない。
【０００９】
したがって、特許文献１、特許文献２に示されるような従来例の天井材をそのまま、湿気の多い浴室用天井パネル本体として使用するには問題が残るものであった。
【特許文献１】登録実用新案公報第３０２８２４２号公報
【特許文献２】特開２００３−００３６４４号公報
【発明の開示】
【発明が解決しようとする課題】
【００１０】
本発明は上記の従来の問題点に鑑みて発明したものであって、金属製の浴室用天井パネルの下面及び縁側片同士の突き合わせ目地部分から水滴が落滴しないようにできる浴室用天井パネルを提供することを課題とするものである。
【課題を解決するための手段】
【００１１】
上記課題を解決するために本発明に係る浴室用天井パネルは、面板部１の外端部に上方に向けて縁側片２を一体に突設して天井パネル本体３を構成し、該天井パネル本体３の面板部１の下面と縁側片２の外側面とに繊維４を植設して成ることを特徴とするものである。
【００１２】
このように、天井パネル本体３の面板部１の下面と縁側片２の外側面に繊維４を植設してあることで、面板部１の下面に水滴が発生しても、繊維４により水滴が保持され、落滴し難くなり、入浴中に入浴者に落滴することで不快感を与えるというような現象を防止することができる。また、縁側片２の外側面に繊維４が植設してあることで、隣接する縁側片２同士を突き合わせてボルト、ナットのような接合具により接合した場合、対向する縁側片２の外側面に植設した無数の繊維４が根元から押し潰されて絡み合った状態で強く圧縮されて突き合わせ目地部分における一種の止水材の役目をすることになって、繊維４を植設することでコーキングを室内から打設できないにもかかわらず、突き合わせ目地部分における止水性を確保できる。しかも、両縁側片２の外側面に植設した繊維４は両縁側片２を突き合わせて接合した際に上記のように根元から押し曲げられて圧縮されるのであるが、両縁側片２の外側面の下端部側の繊維４の一部は両縁側片２の突き合わせ部分の下端を越えて下方に突出するように根元から押し曲げられることになり、この繊維がちょうど両縁側片２の突き合わせ部分の下面部、つまり、突き合わせ目地部分に沿って下方に突出することになり、この突き合わせ目地部分において下方に突出する繊維４’の存在により浴室用天井パネルＡの境界が浴室内からは分かり難くなり、複数の浴室用天井パネルＡの下面が連続して複数の浴室用天井パネルＡ同士があたかも一体のもののような外観となる。さらに、この突き合わせ目地部分において下方に突出する繊維４’により、突合せ目地部の長手方向に部分的に小さな水滴が発生しても、該繊維４’により小さな水滴が突き合せ目地部の長手方向に沿って流れるということがなく、突き合せ目地部の長手方向に沿って小さな水滴が流れ、小さな水滴同士が合体して大きな水滴となって落滴し、この大きな水滴が入浴者に落滴することで、入浴者に非常な不快感を与えてしまうというような恐れもない。
【００１３】
また、繊維４表面に親水コートを施すことが好ましい。
【００１４】
このような構成とすることで、水滴ができ難くてよりいっそう落滴防止効果を得ることができる。
【発明の効果】
【００１５】
本発明は、上記のように構成したので、面板部の下面に水滴が発生しても、繊維間に保持され、落滴し難くなり、特に、浴室用天井パネル本体の縁側片と隣接する浴室用天井パネルの縁側片との突合せ部分においては、対向する縁側片に植設した無数の繊維が根元から押し潰されて絡み合った状態で強く圧縮されて突き合わせ目地部分における一種の止水材の役目をすることになって、繊維を植設することでコーキングを室内から打設できないにもかかわらず、突き合わせ目地部分における止水性を確保でき、しかも、両縁側片の外側面の下端部側の繊維の一部は両縁側片の突き合わせ部分の下端を越えて下方に突出するように根元から押し曲げられ、両縁側片の突き合わせ部分の下面部、つまり、突き合わせ目地部分に沿って下方に突出し、この突き合わせ目地部分において下方に突出する繊維の存在により浴室用天井パネルの境界が浴室内からは分かり難くなり、複数の浴室用天井パネル同士があたかも一体のもののような外観となり、さらに、突合せ目地部の下面部において小さな水滴が発生しても、突き合せ目地部の長手方向に沿って流れて小さな水滴同士が合体して大きな水滴となることがなく、したがって、浴室用天井パネルの縁側片との突合せ部分から大きな水滴となって落滴するのを確実に防止でき、入浴中に入浴者に落滴することで不快感を与えるというような現象を防止することができる。
【発明を実施するための最良の形態】
【００１６】
以下、本発明を添付図面に示す実施形態に基いて説明する。
【００１７】
本発明の浴室用天井パネルＡの主体を構成する天井パネル本体３は鋼板やアルミニウム板のような金属又は合成樹脂により形成されたもので、下面が浴室内に露出する部分である面板部１の外端部に上方（背方）に向けて縁側片２を一体に突設して構成してある。この縁側片２は面板部１の外端部を上方に突出するように屈曲してあることで、天井パネル本体３の端部に枠に相当するものが一体に形成されることになって、天井パネル本体３の剛性を増し、且つ、隣接する天井パネル本体３を接続する際、上方に突出する縁側片２同士を突き合わせて接合することで接続できるようになっている。
【００１８】
上記天井パネル本体３の面板部１の上面（背面）には石膏ボードのような芯材５が積層してある。
【００１９】
また、天井パネル本体３の面板部１の下面の全面と、縁側片２の外側面の全面には繊維４を植設してある。
【００２０】
植設する繊維４としては、一例を挙げると、ビニル繊維を挙げることができるが、必ずしもこれにのみ限定されるものではなく、他の有機繊維、無機繊維の様々な繊維を使用することができる。
【００２１】
また、天井パネル本体３の面板部１の下面の全面と、縁側片２の外側面の全面に繊維４を植設するに当たっては、天井パネル本体３の面板部１の下面の全面と、縁側片２の外側面の全面に接着剤を塗布し、該接着剤の層に繊維４を静電植毛により植設したり、あるいは、あらかじめ繊維を植毛してある繊維植毛シートを天井パネル本体３の面板部１の下面の全面と、縁側片２の外側面の全面にわたって貼付けたりといった方法で植設する。
【００２２】
上記のような構成の浴室用天井パネルＡは、ユニットバスなどの浴室の天井を構成するために使用される。
【００２３】
ユニットバスを例に取ると、一般にユニットバスは、図示を省略しているが、防水パン、浴槽、浴室用壁パネル、浴室用天井パネルＡを現場で組み立てて構成するもので、防水パンの外端部に設けた立ち上がりの上部に壁パネル載置部を設け、該壁パネル載置部上に複数の浴室用壁パネルを載設し、浴室用壁パネルに囲まれた部分の上開口を複数の浴室用天井パネルＡで塞ぐように複数の浴室用天井パネルＡを壁パネルの上に載設して取付けることで、ユニットバスを組み立て構成するようになっている。
【００２４】
ここで、複数の浴室用天井パネルＡは、隣接する浴室用天井パネルＡ（天井パネル本体３）の縁側片２同士を突き合わせてボルト、ナットのような接合具（図示せず）により接合するようになっている。
【００２５】
ここで、隣接する縁側片２同士を突き合わせてボルト、ナットのような接合具により接合した場合、図２に示すように、対向する縁側片２の外側面に植設した無数の繊維４が根元から押し潰されて絡み合った状態で強く圧縮されて両縁側片２に圧着し、両縁側片２同士の突き合わせ目地部分における一種の止水材の役目をすることになる。したがって、繊維４を植設してあるので、繊維４が邪魔になってコーキングを室内から打設できないにもかかわらず、突き合わせ目地部分における止水性を確保でき、また、別体の帯状をしたバッキン材を両縁側片２間に介在する必要がないので、部材点数が少ないと共に、施工が簡略化できる。しかも、両縁側片２の外側面に植設した繊維４は両縁側片２を突き合わせて接合した際に上記のように根元から押し曲げられて圧縮されるのであるが、両縁側片２の外側面の下端部側の繊維４の一部は両縁側片２の突き合わせ部分の下端を越えて下方に突出するように根元から押し曲げられることになり、この繊維４’がちょうど両縁側片２の突き合わせ部分の下面部、つまり、突き合わせ目地部分に沿って下方に突出することになり、この突き合わせ目地部分において下方に突出する繊維４’の存在により浴室用天井パネルＡの境界が浴室内からは分かり難くなり、複数の浴室用天井パネルＡ同士があたかも一体のもののような外観にすることができる。
【００２６】
そして、上記のようにして組み立て構成したユニットバスにおいて、浴室内は高湿度のため、天井パネル本体３の下面に水滴が発生するが、繊維４間に水滴が内包され、下方に落滴するのが防止される。これにより、入浴者に水滴が落滴して不快感を与えるというようなことを抑制できることになる。
【００２７】
また、突き合わせ目地部分において下方に突出する繊維４’により、突合せ目地部の長手方向に部分的に小さな水滴が発生しても、該繊維４’により小さな水滴が突き合せ目地部の長手方向に沿って流れるということがなく、突き合せ目地部の長手方向に沿って小さな水滴が流れ、小さな水滴同士が合体して大きな水滴となって落滴し、この大きな水滴が入浴者に落滴することで、入浴者に非常な不快感を与えてしまうというような恐れもない。
【００２８】
ここで、天井パネル本体３の面板部１の下面と、縁側片２の外側面に植設した繊維４表面に親水系の塗料を塗布してもよい。このように繊維４表面に親水コートを施すことで、水滴ができ難くてよりいっそう落滴防止効果を得ることができる。特に、表面張力の小さな繊維を使用する場合、上記のように繊維４に親水コートを施すことで効果的な落滴防止効果を得ることができる。
【図面の簡単な説明】
【００２９】
【図１】本発明の浴室用天井パネルの断面図である。
【図２】同上の隣接する浴室用天井パネルの突合せ部分の拡大断面図である。
【符号の説明】
【００３０】
１  面板部
２  縁側片
３  天井パネル本体
４  繊維
【図１】
2009052354.tif 000003
【図２】
2009052354.tif 000004